(57)【要約】【課題】  ジャッキで上構造体を下構造体に支持させる状態において、ジャッキが構造体に対して円滑にスライドできるスライド具を提供する。【解決手段】  スライド具は、ジャッキで上構造体を下構造体に支持させる際に、上構造体及び下構造体の少なくとも一方とジャッキとの間に配置される平板状のスライド具であって、構造体と接する第１面に、潤滑材を保持するための凹部を備える。【選択図】  図３
2019052506.tif 000002
【特許請求の範囲】
【請求項１】
ジャッキで上構造体を下構造体に支持させる際に、前記上構造体及び前記下構造体の少なくとも一方と前記ジャッキとの間に配置される平板状のスライド具であって、
前記構造体と接する第１面に、潤滑材を保持するための凹部を備える、スライド具。
【請求項２】
前記凹部は、開口端から深さ方向の少なくとも一部が同じ形状となるように、形成される、請求項１に記載のスライド具。
【請求項３】
前記凹部は、溝を備え、
前記溝の深さ寸法は、前記溝の幅寸法よりも、小さい、請求項１又は２に記載のスライド具。
【請求項４】
前記凹部は、前記第１面の端縁に対して離れている、請求項１〜３の何れか１項に記載のスライド具。
【請求項５】
ジャッキで上構造体を下構造体に支持させる支持方法であって、
前記上構造体及び前記下構造体の少なくとも一方と前記ジャッキとの間に配置される請求項１〜４の何れか１項に記載のスライド具の前記第１面と、前記構造体との間に、潤滑材が存在する、支持方法。
【発明の詳細な説明】
【技術分野】
【０００１】
本発明は、構造体とジャッキとの間に配置される平板状のスライド具に関する。また、本発明は、ジャッキで上構造体を下構造体に支持させる支持方法に関する。
【背景技術】
【０００２】
従来、免震装置を交換する際に、ジャッキで上構造体を下構造体に支持させる支持方法が、知られている（例えば、特許文献１）。そして、特許文献１に係る支持方法においては、ジャッキと下構造体との間に、スライド具が配置されているため、ジャッキが下構造体に対してスライドできる。これにより、ある程度の揺れ（小さい地震）に対して、ジャッキで上構造体を下構造体に支持させる状態を維持することができる。
【０００３】
ところで、スライド具の材質に摩擦係数の小さい材質を採用したとしても、スライド具と下構造体との間の摩擦係数を小さくすることに限界がある。したがって、ジャッキが下構造体に対して円滑にスライドすることができず、ジャッキで上構造体を下構造体に支持させる状態を維持できない場合も考えられる。
【先行技術文献】
【特許文献】
【０００４】
【特許文献１】特開２００８−１６３６３６号公報
【発明の概要】
【発明が解決しようとする課題】
【０００５】
そこで、課題は、ジャッキで上構造体を下構造体に支持させる状態において、ジャッキが構造体に対して円滑にスライドできるスライド具及び支持方法を提供することである。
【課題を解決するための手段】
【０００６】
スライド具は、ジャッキで上構造体を下構造体に支持させる際に、前記上構造体及び前記下構造体の少なくとも一方と前記ジャッキとの間に配置される平板状のスライド具であって、前記構造体と接する第１面に、潤滑材を保持するための凹部を備える。
【０００７】
また、スライド具においては、前記凹部は、開口端から深さ方向の少なくとも一部が同じ形状となるように、形成される、という構成でもよい。
【０００８】
また、スライド具においては、前記凹部は、溝を備え、前記溝の深さ寸法は、前記溝の幅寸法よりも、小さい、という構成でもよい。
【０００９】
また、スライド具においては、前記凹部は、前記第１面の端縁に対して離れている、という構成でもよい。
【００１０】
また、支持方法は、ジャッキで上構造体を下構造体に支持させる支持方法であって、前記上構造体及び前記下構造体の少なくとも一方と前記ジャッキとの間に配置される前記スライド具の前記第１面と、前記構造体との間に、潤滑材が存在する。
【発明の効果】
【００１１】
以上の如く、スライド具及び支持方法は、ジャッキで上構造体を下構造体に支持させる状態において、ジャッキが構造体に対して円滑にスライドできる、という優れた効果を奏する。
【図面の簡単な説明】
【００１２】
【図１】図１は、一実施形態に係る支持システムの全体概略図である。
【図２】図２は、図１のII領域拡大図である。
【図３】図３は、同実施形態に係るスライド具の全体概略図である。
【図４】図４は、図３のIV−IV線拡大要部断面図である。
【図５】図５は、他の実施形態に係るスライド具の全体概略図である。
【図６】図６は、さらに他の実施形態に係るスライド具の全体概略図である。
【図７】図７は、さらに他の実施形態に係るスライド具の全体概略図である。
【図８】図８は、さらに他の実施形態に係るスライド具の全体概略図である。
【発明を実施するための形態】
【００１３】
以下、スライド具及び支持方法における一実施形態について、図１〜図４を参照しながら説明する。なお、各図（図５〜図８も同様）において、図面の寸法比と実際の寸法比とは、必ずしも一致しておらず、また、各図面の間での寸法比も、必ずしも一致していない。
【００１４】
ここで、支持する対象となる建物について説明する。図１に示すように、建物１０は、上下方向で離間する上構造体１１及び下構造体１２と、上構造体１１と下構造体１２との間に配置される免震装置１３とを備えている。なお、図１においては、免震装置１３は、交換されるために、建物１０との固定を解除されている。
【００１５】
上構造体１１は、免震装置１３に接する上躯体１１ａと、上躯体１１ａの上部を連結する構造本体１１ｂとを備えている。本実施形態においては、上躯体１１ａは、柱であり、構造本体１１ｂは、長尺に延びる梁である。なお、上構造体１１は、斯かる構成に限られない。
【００１６】
下構造体１２は、免震装置１３に接する下躯体１２ａと、下躯体１２ａの下部を連結する構造本体１２ｂとを備えている。本実施形態においては、下躯体１２ａは、基礎柱であり、構造本体１２ｂは、平面状に広がる基礎である。
【００１７】
また、下構造体１２は、構造本体１２ｂの上に敷かれる板材１２ｃを備えている。本実施形態においては、板材１２ｃは、鏡面仕上げされた金属（例えば、ステンレス鋼）板である。なお、下構造体１２は、斯かる構成に限られない。例えば、下構造体１２は、板材１２ｃを備えていない、という構成でもよい。
【００１８】
支持システム１は、上構造体１１と下構造体１２との間に配置されるジャッキ２と、ジャッキ２と下構造体１２との間に配置される平板状のスライド具３とを備えている。また、支持システム１は、ジャッキ２とスライド具３との間に配置される支持具４を備えている。
【００１９】
ジャッキ２は、ジャッキ本体２ａと、ジャッキ本体２ａに対して移動可能な可動体２ｂとを備えている。そして、ジャッキ２の内部に圧力媒体が流出入されることで、可動体２ｂがジャッキ本体２ａに対して上下方向に可動する。なお、ジャッキ２は、例えば、鉄で形成されている。
【００２０】
支持具４は、大きな荷重に耐えられるような強度を備えている。そして、支持具４は、軽くて高硬度を有する材料で形成されている。例えば、支持具４は、ジュラルミンで形成されている。なお、支持システム１は、支持具４を備えていない、という構成でもよい。
【００２１】
スライド具３は、面積が板材１２ｃよりも小さくなるように、形成されている。また、スライド具３は、下構造体１２（具体的には、板材１２ｃ）との間の摩擦係数が小さくなるような材質で形成されている。例えば、スライド具３は、樹脂（例えば、フッ素樹脂）で形成されている。
【００２２】
これにより、スライド具３及び板材１２ｃ間の摩擦係数は、他の部材間の摩擦係数よりも小さくなっている。具体的には、スライド具３及び板材１２ｃ間の摩擦係数は、上構造体１１及びジャッキ２間の摩擦係数、ジャッキ２及び支持具４間の摩擦係数、支持具４及びスライド具３間の摩擦係数、及び、板材１２ｃ及び構造本体１２ｂの摩擦係数よりも、小さくなっている。
【００２３】
これにより、地震等により、上構造体１１が下構造体１２に対して揺れた場合には、スライド具３が板材１２ｃの上をスライドすることになる。したがって、ジャッキ２が下構造体１２に対してスライドできるため、ジャッキ２で上構造体１１を下構造体１２に支持させる状態を維持することができる。
【００２４】
また、図２に示すように、支持システム１は、スライド具３の第１面（以下、「下面」ともいう）３ａと板材１２ｃとの間に、潤滑材５を備えている。そして、潤滑材５は、スライド具３及び板材１２ｃ間の摩擦係数をさらに小さくするものである。例えば、潤滑材５は、粒状の固体であってもよく、また、粘性のある液体であってもよい。また、例えば、潤滑材５は、空気中の酸素と反応しない金属や樹脂であることが好ましい。本実施形態においては、潤滑材５は、粒状の金属（例えば、モリブデン）としている。
【００２５】
図３及び図４に示すように、スライド具３は、板材１２ｃ（図３及び図４においては、図示していない）と接する下面３ａに、潤滑材５（図３及び図４においては、図示していない）を保持するための凹部３ｂを備えている。なお、スライド具３の、下面（第１面）３ａに対する反対側の第２面（上面）３ｃは、平坦に形成されている。
【００２６】
凹部３ｂは、複数の溝３ｄを備えている。そして、複数の溝３ｄは、それぞれ直線状に形成され、互いに平行又は垂直となるように配置されている。これにより、凹部３ｂは、格子状に形成されている。本実施形態においては、直線状の溝３ｄは、８つ備えられている。
【００２７】
凹部３ｂは、下面３ａの端縁３ｅに対して離れている。即ち、全ての溝３ｄは、下面３ａの端縁３ｅに対して離れている。これにより、スライド具３が板材１２ｃの上をスライドしても、凹部３ｂの内部の潤滑材５が凹部３ｂから出てしまうことを抑制することができる。したがって、潤滑材５がスライド具３及び板材１２ｃ間に存在しているため、スライド具３及び板材１２ｃ間の摩擦係数が大きくなることを抑制することができる。
【００２８】
また、凹部３ｂが深過ぎると、凹部３ｂの中に空気が侵入し易い。そして、空気がスライド具３と板材１２ｃとの間に侵入すると、スライド具３及び板材１２ｃ間の摩擦係数が空気に起因して大きくなる。そこで、溝３ｄの深さ寸法Ｗ１は、溝３ｄの幅寸法Ｗ２よりも、小さくなっている。例えば、溝３ｄの深さ寸法Ｗ１は、溝３ｄの幅寸法Ｗ２の４０〜８０％であり、好ましくは、５０〜７０％である。
【００２９】
これにより、空気が凹部３ｂに入ることを抑制することができるため、空気がスライド具３と板材１２ｃとの間に侵入することを抑制することができる。したがって、スライド具３及び板材１２ｃ間の摩擦係数が空気に起因して大きくなることを抑制することができる。
【００３０】
また、スライド具３の硬度は、板材１２ｃの硬度よりも、小さくなっている。これにより、スライド具３が板材１２ｃの上をスライドすると、スライド具３の下面３ａが擦り減ることになる。なお、板材１２ｃに対するスライド具３の接地圧（具体的には、下面３ａの接地圧）が小さくなると、スライド具３及び板材１２ｃ間の摩擦係数が大きくなってしまう。
【００３１】
そこで、凹部３ｂは、開口端３ｆから深さ方向に同じ形状となる同形部３ｇを備えている。具体的には、同形部３ｇは、深さ方向に亘って同じ幅寸法Ｗ２となっている。本実施形態においては、溝３ｄの断面形状は、略Ｕ字状に形成されている。
【００３２】
これにより、スライド具３の下面３ａが擦り減ったとしても、スライド具３の下面３ａが板材１２ｃと接触する面積は、一定（完全に同じだけでなく、略同じも含む）となる。したがって、板材１２ｃに対するスライド具３の接地圧が変化することを抑制することができるため、スライド具３と板材１２ｃとの間の摩擦係数が変化することを抑制することができる。
【００３３】
以上より、本実施形態に係る支持方法は、ジャッキ２で上構造体１１を下構造体１２に支持させる支持方法であって、前記上構造体１１及び前記下構造体１２の少なくとも一方（本実施形態においては、下構造体）１２と前記ジャッキ２との間に配置されるスライド具３の第１面３ａと、前記構造体（本実施形態においては、下構造体）１２との間に、潤滑材５が存在する。
【００３４】
また、本実施形態に係るスライド具３は、ジャッキ２で上構造体１１を下構造体１２に支持させる際に、前記上構造体１１及び前記下構造体１２の少なくとも一方（本実施形態においては、下構造体）１２と前記ジャッキ２との間に配置される平板状のスライド具３であって、前記構造体（本実施形態においては、下構造体）１２と接する第１面３ａに、潤滑材５を保持するための凹部３ｂを備える。
【００３５】
斯かる構成によれば、凹部３ｂが構造体（本実施形態においては、下構造体）１２と接する第１面３ａに備えられているため、凹部３ｂで潤滑材５を保持することができる。これにより、潤滑材５がスライド具３の第１面３ａと構造体（本実施形態においては、下構造体）１２との間に存在する状態を維持できるため、ジャッキ２が構造体（本実施形態においては、下構造体）１２に対して円滑にスライドできる。
【００３６】
また、本実施形態に係るスライド具３においては、前記凹部３ｂは、開口端３ｆから深さ方向の少なくとも一部が同じ形状となるように、形成される、という構成である。
【００３７】
斯かる構成によれば、凹部３ｂの形状は、開口端３ｆから深さ方向の少なくとも一部まで、同じである。これにより、ジャッキ２が構造体（本実施形態においては、下構造体）１２に対してスライドすることで、第１面３ａが擦り減った場合でも、構造体（本実施形態においては、下構造体）１２に接する第１面３ａの面積を一定にすることができる。
【００３８】
また、本実施形態に係るスライド具３においては、前記凹部３ｂは、溝３ｄを備え、前記溝３ｄの深さ寸法Ｗ１は、前記溝３ｄの幅寸法Ｗ２よりも、小さい、という構成である。
【００３９】
斯かる構成によれば、溝３ｄの深さ寸法Ｗ１が溝３ｄの幅寸法Ｗ２よりも小さいため、空気が溝３ｄに入ることを抑制することができる。これにより、スライド具３と構造体（本実施形態においては、下構造体）１２との間に空気が侵入することを抑制することができる。
【００４０】
また、本実施形態に係るスライド具３においては、前記凹部３ｂは、前記第１面３ａの端縁３ｅに対して離れている、という構成である。
【００４１】
斯かる構成によれば、凹部３ｂが第１面３ａの端縁３ｅに対して離れているため、スライド具３が構造体（本実施形態においては、下構造体）１２に対してスライドしても、潤滑材５が凹部３ｂから出てしまうことを抑制することができる。
【００４２】
なお、スライド具３及び支持方法は、上記した実施形態の構成に限定されるものではなく、また、上記した作用効果に限定されるものではない。また、スライド具３及び支持方法は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４３】
（１）上記実施形態に係るスライド具３においては、複数の直線状の溝３ｄは、互いに平行又は垂直となるように、配置されている、という構成である。しかしながら、スライド具３は、斯かる構成に限られない。例えば、図５に示すように、複数の直線状の溝３ｄは、互いに平行又は垂直だけでなく傾斜して交差するように、配置されている、という構成でもよい。斯かる構成によれば、凹部３ｂがさまざま方向に伸びているため、スライド具３がスライドする方向における摩擦係数の差を小さくすることができる。
【００４４】
（２）また、上記実施形態に係るスライド具３においては、複数の溝３ｄは、それぞれ直線状に形成されている、という構成である。しかしながら、スライド具３は、斯かる構成に限られない。例えば、図６に示すように、複数の溝３ｄは、それぞれ曲線状（具体的には、円環状）に形成されている、という構成でもよい。斯かる構成によれば、凹部３ｂがさまざま方向に伸びているため、スライド具３がスライドする方向における摩擦係数の差を小さくすることができる。
【００４５】
（３）また、上記実施形態に係るスライド具３においては、凹部３ｂは、複数の溝３ｄを備えている、という構成である。しかしながら、スライド具３は、斯かる構成に限られない。例えば、図７に示すように、凹部３ｂは、複数の凹状の円形部３ｈを備えている、という構成でもよい。
【００４６】
（４）また、上記実施形態に係るスライド具３においては、凹部３ｂは、第１面３ａの端縁３ｅに対して離れている、という構成である。しかしながら、スライド具３は、斯かる構成に限られない。例えば、図８に示すように、溝３ｄの一部は、第１面３ａの端縁３ｅに接続されている、という構成でもよい。
【００４７】
（５）また、上記実施形態に係るスライド具３は、ジャッキ２と下構造体１２との間に配置されている、という構成である。しかしながら、スライド具３は、斯かる構成に限られない。例えば、スライド具３は、ジャッキ２と上構造体１１との間に配置されている、という構成でもよく、また、スライド具３は、ジャッキ２と両方の構造体１１，１２との間に配置されている、という構成でもよい。
【００４８】
（６）また、上記実施形態に係るスライド具３においては、凹部３ｂは、開口端３ｆから深さ方向の一部が同じ形状となるように、形成されている、という構成である。しかしながら、スライド具３は、斯かる構成に限られない。例えば、凹部３ｂは、開口端３ｆから深さ方向の全域に亘って同じ形状となるように、形成される、という構成でもよく、また、凹部３ｂは、開口端３ｆから深さ方向に行くにつれて、幅狭又は幅広となるように、形成されている、という構成でもよい。
【００４９】
（７）また、上記実施形態に係るスライド具３の硬度は、下構造体１２（板材１２ｃ）の硬度よりも、小さい、という構成である。しかしながら、スライド具３は、斯かる構成に限られない。例えば、スライド具３の硬度は、下構造体１２（板材１２ｃ）の硬度と、同じ、という構成でもよく、また、スライド具３の硬度は、下構造体１２（板材１２ｃ）の硬度よりも、大きい、という構成でもよい。
【００５０】
（８）また、上記実施形態に係るスライド具３においては、溝３ｄの深さ寸法Ｗ１は、溝３ｄの幅寸法Ｗ２よりも、小さい、という構成である。しかしながら、スライド具３は、斯かる構成に限られない。例えば、溝３ｄの深さ寸法Ｗ１は、溝３ｄの幅寸法Ｗ２と、同じ、という構成でもよく、また、溝３ｄの深さ寸法Ｗ１は、溝３ｄの幅寸法Ｗ２よりも、きい、という構成でもよい。
【符号の説明】
【００５１】
１…支持システム、２…ジャッキ、２ａ…ジャッキ本体、２ｂ…可動体、３…スライド具、３ａ…第１面、３ｂ…凹部、３ｃ…第２面、３ｄ…溝、３ｅ…端縁、３ｆ…開口端、３ｇ…同形部、３ｈ…円形部、４…支持具、５…潤滑材、１０…建物、１１…上構造体、１１ａ…上躯体、１１ｂ…構造本体、１２…下構造体、１２ａ…下躯体、１２ｂ…構造本体、１２ｃ…板材、１３…免震装置、Ｗ１…深さ寸法、Ｗ２…幅寸法
【図１】
2019052506.tif 000003
【図２】
2019052506.tif 000004
【図３】
2019052506.tif 000005
【図４】
2019052506.tif 000006
【図５】
2019052506.tif 000007
【図６】
2019052506.tif 000008
【図７】
2019052506.tif 000009
【図８】
2019052506.tif 000010